【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
行列状に配された複数の画素と複数のマイクロレンズとを有する画素部であって、
前記複数のマイクロレンズの各々は、前記複数の画素のうちの互いに異なる１つの画素と対応して配されており、
前記複数の画素の各々が、信号電荷を生成するｍ個（ｍは２以上の整数）の光電変換部を含むとともに、前記信号電荷に基づいた信号を出力し、
前記複数の画素の少なくとも一部の前記画素の各々が、前記ｍ個の前記光電変換部のうち、前記ｍ個よりも少ないｎ個（ｎは整数）の前記光電変換部の前記信号電荷に基づいた第１の信号を出力する
画素部と、
互いに異なる複数の前記画素から出力された複数の前記第１の信号同士を加算する加算部と、
前記加算部により加算される複数の前記第１の信号が、所定の閾値より大きい信号を含むか否かを、複数の前記第１の信号の各々と前記所定の閾値とを比較することによって判定する判定部と、
前記判定部による判定結果及び前記加算部で複数の前記第１の信号同士を加算して得られた信号を出力する出力部と
を有することを特徴とする撮像装置。
【請求項２】
前記出力部から出力される、前記第１の信号に基づく信号の個数が、
前記出力部から出力される、前記ｍ個の前記光電変換部の前記信号電荷に基づいた第２の信号に基づく信号の個数よりも少ない
ことを特徴とする請求項１に記載の撮像装置。
【請求項３】
前記所定の閾値は、信号の飽和レベルに相当する値に設定されることを特徴とする請求項１又は２に記載の撮像装置。
【請求項４】
前記判定部は、前記ｍ個の前記光電変換部のうち、前記ｎ個の光電変換部を除いた（ｍ−ｎ）個の前記光電変換部の前記信号電荷に基づいた第３の信号について、前記加算が行われる複数の前記第１の信号を出力する複数の画素に対応する複数の前記第３の信号が、所定の閾値より大きい信号を含むか否かをさらに判定する
ことを特徴とする請求項１乃至３のいずれか１項に記載の撮像装置。
【請求項５】
前記出力部は、前記複数の前記第１の信号が所定の閾値より大きい信号を含むか否かを判定した判定結果と、前記複数の前記第３の信号が所定の閾値より大きい信号を含むか否かを判定した判定結果との論理和を算出することにより圧縮した判定結果を出力することを特徴とする請求項４に記載の撮像装置。
【請求項６】
アナログ信号をデジタル信号に変換して出力する複数のアナログデジタル変換回路をさらに有し、
前記複数の画素の少なくとも一部の前記画素の各々は、
前記ｎ個の前記光電変換部の前記信号電荷に基づいた前記第１の信号をアナログ信号として出力し、
前記ｍ個の前記光電変換部のうち、前記ｎ個の光電変換部を除いた（ｍ−ｎ）個の前記光電変換部の前記信号電荷に基づいた第３の信号をアナログ信号として出力し、
前記複数のアナログデジタル変換回路の各々は、
前記第１の信号を前記第１の信号に基づくデジタル信号に変換し、
前記第３の信号を前記第３の信号に基づくデジタル信号に変換し、
前記加算部は、
前記複数の画素のうちの第１の画素の前記第１の信号に基づくデジタル信号と、前記第１の画素の前記第３の信号に基づくデジタル信号とを加算し、
前記第１の画素の前記第１の信号に基づくデジタル信号と、前記複数の画素のうちの前記第１の画素とは異なる第２の画素の前記第１の信号に基づくデジタル信号とを加算する
ことを特徴とする請求項１乃至５のいずれか１項に記載の撮像装置。
【請求項７】
前記複数の画素の少なくとも一部の前記画素の各々は、
前記ｎ個の前記光電変換部の前記信号電荷に基づいた前記第１の信号をアナログ信号として出力し、
前記加算部は、前記第１の画素の前記第１の信号と、前記複数の画素のうちの前記第１の画素とは異なる第２の画素の前記第１の信号とをアナログ信号の状態で加算し、
前記判定部は前記加算部により加算される複数の前記第１の信号をアナログ信号の状態で判定する
ことを特徴とする請求項１乃至５のいずれか１項に記載の撮像装置。
【請求項８】
アナログ信号をデジタル信号に変換して出力する複数のアナログデジタル変換回路をさらに有し、
前記複数の画素の少なくとも一部の前記画素の各々は、
前記ｎ個の前記光電変換部の前記信号電荷に基づいた前記第１の信号をアナログ信号として出力し、
前記ｍ個の前記光電変換部の前記信号電荷に基づいた前記第２の信号をアナログ信号として出力し、
前記複数のアナログデジタル変換回路の各々は、
前記第１の信号を前記第１の信号に基づくデジタル信号に変換し、
前記第２の信号を前記第２の信号に基づくデジタル信号に変換し、
前記加算部は、
前記第１の画素の前記第１の信号に基づくデジタル信号と、前記複数の画素のうちの前記第１の画素とは異なる第２の画素の前記第１の信号に基づくデジタル信号とを加算し、
前記判定部は、
前記複数の画素のうちの第１の画素の前記第２の信号に基づくデジタル信号から、前記第１の画素の前記第１の信号に基づくデジタル信号を減算することにより、前記ｍ個の前記光電変換部のうち、前記ｎ個の光電変換部を除いた（ｍ−ｎ）個の前記光電変換部の前記信号電荷に基づいた第３の信号を生成し、
前記加算が行われる複数の前記第１の信号を出力する複数の画素に対応する複数の前記第３の信号が、所定の閾値より大きい信号を含むか否かをさらに判定する
ことを特徴とする請求項１乃至５のいずれか１項に記載の撮像装置。
【請求項９】
前記第１の画素と前記第２の画素とは隣接する画素であることを特徴とする請求項６乃至８のいずれか１項に記載の撮像装置。
【請求項１０】
前記複数の前記第１の信号が所定の閾値より大きい信号を含むか否かを判定した判定結果は、複数の前記第１の信号の各々と前記所定の閾値とを比較して得られた複数の判定値同士の論理和を演算することにより生成されることを特徴とする請求項１乃至９のいずれか１項に記載の撮像装置。
【請求項１１】
請求項１乃至１０のいずれか１項に記載の撮像装置と、
前記撮像装置から前記判定部による判定結果及び前記加算部で複数の前記第１の信号同士を加算して得られた測距信号が入力され、前記測距信号を用いて焦点検出を行う信号処理部と
を有し、
前記信号処理部は、前記測距信号のうち、複数の前記第１の信号が所定の閾値より大きい信号を含むことを示す前記判定結果に対応する前記測距信号を用いずに前記焦点検出を行う
ことを特徴とする撮像システム。
【請求項１２】
行列状に配された複数の画素と複数のマイクロレンズとを有する画素部であって、
前記複数のマイクロレンズの各々は、前記複数の画素のうちの互いに異なる１つの画素と対応して配されており、
前記複数の画素の各々が、信号電荷を生成するｍ個（ｍは２以上の整数）の光電変換部を含むとともに、前記信号電荷に基づいた信号を出力し、
前記複数の画素の少なくとも一部の前記画素の各々が、前記ｍ個の前記光電変換部のうち、前記ｍ個よりも少ないｎ個（ｎは整数）の前記光電変換部の前記信号電荷に基づいた第１の信号を出力する
画素部を有する撮像装置と、
前記撮像装置が出力する信号を処理する信号処理部であって、
互いに異なる複数の前記画素から出力された複数の前記第１の信号同士を加算する加算部と、
前記加算部により加算される複数の前記第１の信号が、所定の閾値より大きい信号を含むか否かを、複数の前記第１の信号の各々と前記所定の閾値とを比較することによって判定する判定部と、
前記判定部による判定結果及び前記加算部で複数の前記第１の信号同士を加算して得られた信号を出力する出力部と
を有する信号処理部と
を有することを特徴とする撮像システム。
【請求項１３】
前記信号処理部は、
前記第１の信号同士を加算して得られた測距信号を用いて焦点検出を行い、
前記測距信号のうち、複数の前記第１の信号が所定の閾値より大きい信号を含むことを示す前記判定結果に対応する前記測距信号を用いずに前記焦点検出を行う
ことを特徴とする請求項１２に記載の撮像システム。
【手続補正２】
【補正対象書類名】明細書
【補正対象項目名】０００７
【補正方法】変更
【補正の内容】
【０００７】
本発明の一観点に係る撮像装置は、行列状に配された複数の画素と複数のマイクロレンズとを有する画素部であって、前記複数のマイクロレンズの各々は、前記複数の画素のうちの互いに異なる１つの画素と対応して配されており、前記複数の画素の各々が、信号電荷を生成するｍ個（ｍは２以上の整数）の光電変換部を含むとともに、前記信号電荷に基づいた信号を出力し、前記複数の画素の少なくとも一部の前記画素の各々が、前記ｍ個の前記光電変換部のうち、前記ｍ個よりも少ないｎ個（ｎは整数）の前記光電変換部の前記信号電荷に基づいた第１の信号を出力する画素部と、互いに異なる複数の前記画素から出力された複数の前記第１の信号同士を加算する加算部と、前記加算部により加算される複数の前記第１の信号が、所定の閾値より大きい信号を含むか否かを、複数の前記第１の信号の各々と前記所定の閾値とを比較することによって判定する判定部と、前記判定部による判定結果及び前記加算部で複数の前記第１の信号同士を加算して得られた信号を出力する出力部とを有することを特徴とする。
【手続補正３】
【補正対象書類名】明細書
【補正対象項目名】０００８
【補正方法】変更
【補正の内容】
【０００８】
本発明の他の観点に係る撮像システムは、行列状に配された複数の画素と複数のマイクロレンズとを有する画素部であって、前記複数のマイクロレンズの各々は、前記複数の画素のうちの互いに異なる１つの画素と対応して配されており、前記複数の画素の各々が、信号電荷を生成するｍ個（ｍは２以上の整数）の光電変換部を含むとともに、前記信号電荷に基づいた信号を出力し、前記複数の画素の少なくとも一部の前記画素の各々が、前記ｍ個の前記光電変換部のうち、前記ｍ個よりも少ないｎ個（ｎは整数）の前記光電変換部の前記信号電荷に基づいた第１の信号を出力する画素部を有する撮像装置と、前記撮像装置が出力する信号を処理する信号処理部であって、互いに異なる複数の前記画素から出力された複数の前記第１の信号同士を加算する加算部と、前記加算部により加算される複数の前記第１の信号が、所定の閾値より大きい信号を含むか否かを、複数の前記第１の信号の各々と前記所定の閾値とを比較することによって判定する判定部と、前記判定部による判定結果及び前記加算部で複数の前記第１の信号同士を加算して得られた信号を出力する出力部とを有する信号処理部とを有することを特徴とする。